(57)【要約】【課題】発信者の現在の場所を言葉で説明することなく通知可能な音声メッセージが作成できる通信制御装置、通信制御システム及び通信制御方法を提供すること。【解決手段】背景音取得部２０５は移動通信端末１０ａの在圏位置情報Ｆ９に応じた背景音情報Ｆ２を背景音提供装置４０から取得する。音声置換部２０６は音声メッセージ情報Ｆ１の音声と背景音情報Ｆ２の音声とが合成された合成音を表す合成音情報Ｆ３を音声合成装置５０から取得して保持する。音声再生部２０８は、音声置換部２０６により取得された合成音情報Ｆ３に対する音声取得要求Ｆ７を移動通信端末１０ｂから受信すると、合成音情報Ｆ３を移動通信端末１０ｂに送信する。【選択図】図９
2008099197.tif 000002
【特許請求の範囲】
【請求項１】
第１の移動通信端末から受信した第２の移動通信端末に対する音声メッセージ情報を保持する通信制御装置であって、
前記第１の移動通信端末の位置情報に応じた背景音情報を取得する背景音取得手段と、
前記音声メッセージ情報の音声と前記背景音情報の音声とが合成された合成音を表す合成音情報を取得して保持する合成音取得手段と、
前記合成音取得手段により取得された前記合成音情報の取得要求を前記第２の移動通信端末から受信すると、該合成音情報を該第２の移動通信端末に送信する合成音送信手段と
を備える、ことを特徴とする通信制御装置。
【請求項２】
前記音声メッセージ情報の受信後に、ＧＰＳ情報により取得された前記第１の移動通信端末の位置情報を取得する位置情報取得手段を更に備える、ことを特徴とする請求項１に記載の通信制御装置。
【請求項３】
前記位置情報取得手段は、
前記音声メッセージ情報の音声に背景音を合成する旨の指示を前記第１の移動通信端末から受けた場合に該第１の移動通信端末の位置情報を取得する、ことを特徴とする請求項１又は２に記載の通信制御装置。
【請求項４】
前記背景音取得手段は、
前記第１の移動通信端末の位置情報と、前記音声メッセージ情報が作成された作成時刻又は作成時期とに応じた背景音情報を取得する、ことを特徴とする請求項１〜３の何れか一項に記載の通信制御装置。
【請求項５】
第１の移動通信端末から受信した第２の移動通信端末に対する音声メッセージ情報を保持する通信制御装置であって、
前記音声メッセージ情報の音声に合成する背景音を指定するための指定情報に応じた背景音情報を取得する背景音取得手段と、
前記音声メッセージ情報の音声と前記背景音情報の音声とが合成された合成音を表す合成音情報を取得して保持する合成音取得手段と、
前記合成音取得手段により取得された前記合成音情報の取得要求を前記第２の移動通信端末から受信すると、該合成音情報を該第２の移動通信端末に送信する合成音送信手段と
を備える、ことを特徴とする通信制御装置。
【請求項６】
前記合成音取得手段は、
前記合成音情報を前記音声メッセージ情報と共に保持し、前記第１の移動通信端末からの指示に応じて前記合成音情報と前記音声メッセージ情報との何れか一方を削除する、ことを特徴とする請求項１〜５の何れか一項に記載の通信制御装置。
【請求項７】
第１の移動通信端末から受信した第２の移動通信端末に対する音声メッセージ情報を保持する通信制御装置と、
複数の移動通信端末の位置情報を管理する位置情報管理サーバと、
位置に応じた背景音情報を提供する背景音提供装置と、
複数の音声を合成する音声合成装置とを備えた通信制御システムであって、
前記通信制御装置は、
前記位置情報管理サーバから取得した前記第１の移動通信端末の位置情報に応じた背景音情報を前記背景音提供装置から取得する背景音取得手段と、
前記音声メッセージ情報と前記背景音取得手段により取得された背景音情報とが前記音声合成装置によって合成された合成音を表す合成音情報を、該音声合成装置から取得して保持する合成音取得手段と、
前記合成音取得手段により取得された前記合成音情報の取得要求を前記第２の移動通信端末から受信すると、該合成音情報を該第２の移動通信端末に送信する合成音送信手段と
を備える、ことを特徴とする通信制御システム。
【請求項８】
第１の移動通信端末から受信した第２の移動通信端末に対する音声メッセージ情報を保持する通信制御装置と、複数の移動通信端末の位置情報を管理する位置情報管理サーバと、位置に応じた背景音情報を提供する背景音提供装置と、複数の音声を合成する音声合成装置とを用いた通信制御方法であって、
前記位置情報管理サーバから取得した前記第１の移動通信端末の位置情報に応じた背景音情報を前記通信制御装置が前記背景音提供装置から取得する背景音取得ステップと、
前記音声メッセージ情報と前記背景音取得ステップにおいて取得された背景音情報とが前記音声合成装置によって合成された合成音を表す合成音情報を、前記通信制御装置が該音声合成装置から取得して保持する合成音取得ステップと、
前記合成音取得ステップにおいて取得された前記合成音情報の取得要求を前記第２の移動通信端末から受信すると、該合成音情報を前記通信制御装置が該第２の移動通信端末に送信する合成音送信ステップと
を有する、ことを特徴とする通信制御方法。
【発明の詳細な説明】
【技術分野】
【０００１】
本発明は、音声メッセージサービスを行う通信制御装置、通信制御システム及び通信制御方法に関する。
【背景技術】
【０００２】
従来の留守番電話サービスを提供する技術として、例えば、登録された留守番電話メッセージをユーザに遅延させることなく通知できる携帯電話システムが特許文献１に開示されている。
【特許文献１】特許第３７９２６６８号明細書
【発明の開示】
【発明が解決しようとする課題】
【０００３】
しかし、上記特許文献１に記載の技術等、従来の留守番電話サービスにおいては、発信者は、伝えたい情報全てを言葉にして留守番電話メッセージに含ませなければならない。特に、発信者は、自身の現在の場所（例えば、駅等）を相手に伝えなければならない場合がある。しかし、留守番電話メッセージ等の音声メッセージの入力時間は短いので、発信者の現在の場所を言葉で説明するだけで入力時間の多くの時間を費やしてしまい、他の情報を留守番電話メッセージに含ませることが困難な場合がある。そこで本発明は、発信者の現在の場所を言葉で説明することなく通知可能な音声メッセージが作成できる通信制御装置、通信制御システム及び通信制御方法の提供を目的とする。
【課題を解決するための手段】
【０００４】
本発明は、第１の移動通信端末から受信した第２の移動通信端末に対する音声メッセージ情報を保持する通信制御装置であって、第１の移動通信端末の位置情報に応じた背景音情報を取得する背景音取得手段と、音声メッセージ情報の音声と背景音情報の音声とが合成された合成音を表す合成音情報を取得して保持する合成音取得手段と、合成音取得手段により取得された合成音情報の取得要求を第２の移動通信端末から受信すると、該合成音情報を該第２の移動通信端末に送信する合成音送信手段とを備える、ことを特徴とする。そして、本発明は、音声メッセージ情報の受信後に、ＧＰＳ情報により取得された第１の移動通信端末の位置情報を取得する位置情報取得手段を更に備えるのが好ましい。
【０００５】
本発明は、第１の移動通信端末から受信した第２の移動通信端末に対する音声メッセージ情報を保持する通信制御装置と、複数の移動通信端末の位置情報を管理する位置情報管理サーバと、位置に応じた背景音情報を提供する背景音提供装置と、複数の音声を合成する音声合成装置とを備えた通信制御システムであって、通信制御装置は、位置情報管理サーバから取得した第１の移動通信端末の位置情報に応じた背景音情報を背景音提供装置から取得する背景音取得手段と、音声メッセージ情報と背景音取得手段により取得された背景音情報とが音声合成装置によって合成された合成音を表す合成音情報を、該音声合成装置から取得して保持する合成音取得手段と、合成音取得手段により取得された合成音情報の取得要求を第２の移動通信端末から受信すると、該合成音情報を該第２の移動通信端末に送信する合成音送信手段とを備える、ことを特徴とする。
【０００６】
本発明は、第１の移動通信端末から受信した第２の移動通信端末に対する音声メッセージ情報を保持する通信制御装置と、複数の移動通信端末の位置情報を管理する位置情報管理サーバと、位置に応じた背景音情報を提供する背景音提供装置と、複数の音声を合成する音声合成装置とを用いた通信制御方法であって、位置情報管理サーバから取得した第１の移動通信端末の位置情報に応じた背景音情報を通信制御装置が背景音提供装置から取得する背景音取得ステップと、音声メッセージ情報と背景音取得ステップにおいて取得された背景音情報とが音声合成装置によって合成された合成音を表す合成音情報を、通信制御装置が該音声合成装置から取得して保持する合成音取得ステップと、合成音取得ステップにおいて取得された合成音情報の取得要求を第２の移動通信端末から受信すると、該合成音情報を通信制御装置が該第２の移動通信端末に送信する合成音送信ステップとを有する、ことを特徴とする。
【０００７】
本発明によれば、音声メッセージ情報を作成した第１の移動通信端末の在圏位置に応じた背景音が取得され、この背景音が音声メッセージ情報の音声に合成される。この背景音は、第１の移動通信端末の在圏位置を表す音声（例えば環境音等。）である。このため、言葉を用いなくても、背景音によって、第１の移動通信端末の在圏位置に対応する場所が判断可能となる。従って、第１の移動通信端末のユーザは、音声メッセージを作成する場合、第１の移動通信端末の在圏位置に対応する場所を言葉で説明する時間が省けるので、音声メッセージの作成時間内に他のより多くの情報を音声メッセージに含ませることが可能となる。
【０００８】
本発明では、位置情報取得手段は、音声メッセージ情報の音声に背景音を合成する旨の指示を第１の移動通信端末から受けた場合に該第１の移動通信端末の位置情報を取得するのが好ましい。これにより、ユーザが背景音の合成を希望しない場合にも対応可能となる。
【０００９】
本発明では、背景音取得手段は、第１の移動通信端末の位置情報と、音声メッセージ情報が作成された作成時刻又は作成時期とに応じた背景音情報を取得するのが好ましい。これにより、第１の移動通信端末の在圏場所だけでなく音声メッセージ情報が作成された作成時刻又は作成時期（時刻や季節）に応じた背景音が利用できる。
【００１０】
本発明は、第１の移動通信端末から受信した第２の移動通信端末に対する音声メッセージ情報を保持する通信制御装置であって、音声メッセージ情報の音声に合成する背景音を指定するための指定情報に応じた背景音情報を取得する背景音取得手段と、音声メッセージ情報の音声と背景音情報の音声とが合成された合成音を表す合成音情報を取得して保持する合成音取得手段と、合成音取得手段により取得された合成音情報の取得要求を第２の移動通信端末から受信すると、該合成音情報を該第２の移動通信端末に送信する合成音送信手段とを備える、ことを特徴とする。これにより、第１の移動通信端末の在圏位置情報を用いなくても、好適な背景音が利用できる。そして、第１の移動通信端末の在圏位置を測位し、この在圏位置に応じた場所情報を検索するステップが省略できる。
【００１１】
本発明では、合成音取得手段は、合成音情報を音声メッセージ情報と共に保持し、第１の移動通信端末からの指示に応じて合成音情報と音声メッセージ情報との何れか一方を削除するのが好ましい。これにより、音声情報を作成した第１の移動通信端末のユーザは、音声情報又は合成音情報の何れの音声を留守番電話メッセージとして最終的に保持するかを選択できる。
【発明の効果】
【００１２】
本発明によれば、発信者の現在の場所を言葉で説明することなく通知可能な音声メッセージが作成できる通信制御装置、通信制御システム及び通信制御方法が提供可能となる。
【発明を実施するための最良の形態】
【００１３】
以下、図面を参照して、本発明に係る好適な実施形態について詳細に説明する。なお、図面の説明において、可能な場合には、同一要素には同一符号を付し、重複する説明を省略する。図１は、実施形態に係る留守番電話システム１（通信制御システム）の構成を示す図である。留守番電話システム１は、移動通信端末１０、音声蓄積サーバ２０、位置情報管理サーバ３０、背景音提供装置４０、音声合成装置５０及びネットワーク６０を備える。移動通信端末１０〜音声合成装置５０は、ネットワーク６０に接続されており、相互に通信が可能である。移動通信端末１０は、携帯電話等の通話可能な端末であり、音声蓄積サーバ２０（通信制御装置）は、移動通信端末１０から送信された留守番電話メッセージ（図９に示す音声メッセージ情報Ｆ１）を蓄積（「保持」を意味する。以下同様。）するサーバである。この音声メッセージ情報Ｆ１は、留守番電話システム１の留守番電話サービスにより移動通信端末１０のユーザが移動通信端末１０を介して作成した音声情報である。以下、音声メッセージ情報Ｆ１は、移動通信端末１０及び移動通信端末１０ａ（図９参照）により作成されるものとして説明する。
【００１４】
位置情報管理サーバ３０は、移動通信端末１０の在圏位置情報を管理するサーバである。在圏位置情報は、例えば、ＧＰＳにより測位される緯度・経度等を用いて表される。背景音提供装置４０は、移動通信端末１０の在圏位置情報からこの在圏位置に応じた場所（駅や建物等）を特定し、その場所に応じた背景音情報Ｆ２（図９参照）を提供する装置である。音声合成装置５０は、音声メッセージ情報Ｆ１の音声と背景音情報Ｆ２の音声とを合成し、この合成音を表す合成音情報Ｆ３（図９参照）を生成する装置である。ネットワーク６０は、情報通信や電話通信が行える通信ネットワークである。
【００１５】
図２は、移動通信端末１０の構成を示す図である。図２に示す構成は、移動通信端末１０のＣＰＵ（図示略）が、コンピュータソフトウェアを実行することにより実現される複数の機能を表している。図２に示すように、移動通信端末１０は、送受信部１０１、音声登録部１０２、端末入出力部１０３、再生部１０４及び位置登録部１０５を有する。送受信部１０１は、音声登録部１０２から受信した音声メッセージ情報Ｆ１を音声蓄積サーバ２０に転送する。送受信部１０１は、音声蓄積サーバ２０から受信した合成音情報Ｆ３を、再生部１０４に転送する。送受信部１０１は、位置情報取得要求Ｆ４を位置情報管理サーバ３０から受信すると、この位置情報取得要求Ｆ４を位置登録部１０５に転送する。位置情報取得要求Ｆ４は、位置情報管理サーバ３０が移動通信端末１０に対し移動通信端末１０の現在の在圏位置を問い合わせる時に用いる指示情報である。
【００１６】
送受信部１０１は、位置登録部１０５から受信した位置情報Ｆ５を位置情報管理サーバ３０に転送する。位置情報Ｆ５は、ＧＰＳにより測位された移動通信端末１０の現在の在圏位置を表す情報である。送受信部１０１は、音声蓄積サーバ２０からメッセージ蓄積完了通知Ｆ６を受信すると、このメッセージ蓄積完了通知Ｆ６を再生部１０４に転送する。メッセージ蓄積完了通知Ｆ６は、音声蓄積サーバ２０の音声蓄積部２０２に合成音情報Ｆ３が蓄積された旨を表す情報である。送受信部１０１は、再生部１０４から音声取得要求Ｆ７を受信すると、この音声取得要求Ｆ７を音声蓄積サーバ２０に転送する。音声取得要求Ｆ７は、移動通信端末１０から音声蓄積サーバ２０に合成音情報Ｆ３の再生要求（取得要求）を行う時に用いる指示情報である。
【００１７】
音声登録部１０２は、端末入出力部１０３から音声メッセージ情報Ｆ１が入力されると、この音声メッセージ情報Ｆ１を送受信部１０１に転送する。
【００１８】
端末入出力部１０３は、入力された音声メッセージ情報Ｆ１を音声登録部１０２に転送する。端末入出力部１０３は、再生部１０４から受信した合成音情報Ｆ３を再生する。端末入出力部１０３は、メッセージ蓄積完了通知Ｆ６に基づいて行われる再生部１０４からの指示に従い、合成音情報Ｆ３が音声蓄積サーバ２０の音声蓄積部２０２に蓄積されたことを移動通信端末１０の表示画面に表示する。端末入出力部１０３は、合成音情報Ｆ３を再生（取得）する旨の指示入力に応じて、この指示入力を再生部１０４に転送する。
【００１９】
再生部１０４は、送受信部１０１から受信した合成音情報Ｆ３を端末入出力部１０３に転送する。再生部１０４は、メッセージ蓄積完了通知Ｆ６を送受信部１０１から受信すると、端末入出力部１０３にこのメッセージ蓄積完了通知Ｆ６の内容を通知する。再生部１０４は、合成音情報Ｆ３を再生（取得）する旨の指示入力を端末入出力部１０３から受信すると、音声取得要求Ｆ７を作成し、この音声取得要求Ｆ７を送受信部１０１に送信する。
【００２０】
位置登録部１０５は、位置情報取得要求Ｆ４を送受信部１０１から受信すると、ＧＰＳを用いて移動通信端末１０の在圏位置を測位し、この測位した在圏位置を表す位置情報Ｆ５を送受信部１０１に送信する。
【００２１】
図３及び図４は、音声蓄積サーバ２０の構成を示す図である。図３に示すように、音声蓄積サーバ２０は、物理的には、ＣＰＵ２０ａ、ＲＡＭ２０ｂ、ＲＯＭ２０ｃ、入力装置２０ｄ、出力装置２０ｅ及び通信装置２０ｆを有しており、これらはバス２０ｇに接続されている。ＣＰＵ２０ａは、ＲＯＭ２０ｃ等の内蔵メモリに格納された所定のコンピュータソフトウェアをＲＡＭ２０ｂにロードして実行することにより、音声蓄積サーバ２０を統括的に制御する。入力装置２０ｄは、情報入力用デバイスであり、入力された情報をＣＰＵ２０ａに出力する。出力装置２０ｅは、ＬＣＤ等の表示装置であり、ＣＰＵ２０ａから入力された情報をＬＣＤ等に表示する。通信装置２０ｆは、ネットワーク６０を介して、移動通信端末１０及び位置情報管理サーバ３０〜音声合成装置５０との間で情報通信を行うためのインターフェイスを有する。
【００２２】
図３は、音声蓄積サーバ２０の機能を示すブロック図である。音声蓄積サーバ２０は、機能的には、送受信部２０１、音声蓄積部２０２、音声登録部２０３、在圏位置取得部２０４（位置情報取得手段）、背景音取得部２０５（背景音取得手段）、音声置換部２０６（合成音取得手段）、登録通知部２０７、音声再生部２０８（合成音送信手段）及び留守電開始通知部２０９を有する。送受信部２０１〜留守電開始通知部２０９は、ＣＰＵ２０ａが上述のコンピュータソフトウェアを実行し、音声蓄積サーバ２０の各構成部を動作させることにより実現される機能である。特に、ＣＰＵ２０ａは、送受信部２０１〜留守電開始通知部２０９を用いて、図９に示す音声蓄積サーバ２０が行う処理を実行する。
【００２３】
送受信部２０１は、音声メッセージ情報Ｆ１を移動通信端末１０から受信すると、この音声メッセージ情報Ｆ１を音声登録部２０３に転送する。送受信部２０１は、在圏位置問合せ要求Ｆ８を在圏位置取得部２０４から受信すると、この在圏位置問合せ要求Ｆ８を位置情報管理サーバ３０に転送する。在圏位置問合せ要求Ｆ８は、音声蓄積サーバ２０が位置情報管理サーバ３０に移動通信端末１０の現在の在圏位置を問い合わせる時に用いる指示情報である。送受信部２０１は、移動通信端末１０の在圏位置を示す在圏位置情報Ｆ９を位置情報管理サーバ３０から受信すると、この在圏位置情報Ｆ９を在圏位置取得部２０４に転送する。送受信部２０１は、背景音問合せ要求Ｆ１０を背景音取得部２０５から受信すると、この背景音問合せ要求Ｆ１０を背景音提供装置４０に転送する。背景音問合せ要求Ｆ１０は、位置情報管理サーバ３０が背景音提供装置４０に合成音情報Ｆ３の検索依頼を行う時に用いる指示情報である。
【００２４】
送受信部２０１は、背景音情報Ｆ２を背景音提供装置４０から受信すると、この背景音情報Ｆ２を背景音取得部２０５に転送する。送受信部２０１は、音声合成要求Ｆ１１を音声置換部２０６から受信すると、この音声合成要求Ｆ１１を音声合成装置５０に転送する。音声合成要求Ｆ１１は、音声蓄積サーバ２０が音声合成装置５０に対し音声の合成を指示する時に用いる指示情報である。送受信部２０１は、合成音情報Ｆ３を音声合成装置５０から受信すると、この合成音情報Ｆ３を音声置換部２０６に転送する。
【００２５】
送受信部２０１は、メッセージ蓄積完了通知Ｆ６を登録通知部２０７から受信すると、このメッセージ蓄積完了通知Ｆ６を移動通信端末１０に転送する。送受信部２０１は、音声取得要求Ｆ７を移動通信端末１０から受信すると、この音声取得要求Ｆ７を音声再生部２０８に転送する。送受信部２０１は、合成音情報Ｆ３を音声再生部２０８から受信すると、この合成音情報Ｆ３を移動通信端末１０に転送する。送受信部２０１は、留守番電話接続通知Ｆ１２を留守電開始通知部２０９から受信すると、この留守番電話接続通知Ｆ１２を位置情報管理サーバ３０に転送する。留守番電話接続通知Ｆ１２は、移動通信端末１０と音声蓄積サーバ２０との間で留守番電話接続処理が完了した旨の情報である。
【００２６】
音声蓄積部２０２は、音声メッセージ情報Ｆ１を音声登録部２０３から受信すると、この音声メッセージ情報Ｆ１を蓄積する。音声蓄積部２０２は、合成音情報Ｆ３を音声置換部２０６から受信すると、予め蓄積されている上記音声メッセージ情報Ｆ１を削除し、この合成音情報Ｆ３を蓄積する（音声メッセージ情報Ｆ１を合成音情報Ｆ３に置換する。）。音声蓄積部２０２は、合成音情報Ｆ３の再生要求（取得要求）を音声再生部２０８から受信すると、この合成音情報Ｆ３を取り出し、この取り出した合成音情報Ｆ３を音声再生部２０８に転送する。
【００２７】
音声登録部２０３は、移動通信端末１０から送信された音声メッセージ情報Ｆ１を送受信部２０１から受信すると、この音声メッセージ情報Ｆ１を音声蓄積部２０２に蓄積する。音声登録部２０３は、音声蓄積部２０２へ音声メッセージ情報Ｆ１を登録完了（蓄積完了）すると、この旨を在圏位置取得部２０４に通知する。
【００２８】
在圏位置取得部２０４は、音声蓄積部２０２に音声メッセージ情報Ｆ１の蓄積が完了した旨の通知を音声登録部２０３から受けると、この音声メッセージ情報Ｆ１を作成した移動通信端末１０の在圏位置を問い合わせるために、在圏位置問合せ要求Ｆ８を作成し、この在圏位置問合せ要求Ｆ８を送受信部２０１に送信する。在圏位置取得部２０４は、移動通信端末１０の在圏位置情報Ｆ９を送受信部２０１から受信すると、この在圏位置情報Ｆ９を背景音取得部２０５に転送する。
【００２９】
背景音取得部２０５は、移動通信端末１０の在圏位置情報を表す在圏位置情報Ｆ９を在圏位置取得部２０４から受信すると、この音声メッセージ情報Ｆ１の音声に合成する背景音を取得するための背景音問合せ要求Ｆ１０を作成し、この背景音問合せ要求Ｆ１０を送受信部２０１に送信する。この場合、背景音問合せ要求Ｆ１０は、移動通信端末１０の在圏位置情報Ｆ９を含む。この背景音問合せ要求Ｆ１０は、送受信部２０１を介して背景音提供装置４０に送信され、背景音提供装置４０は、この背景音問合せ要求Ｆ１０を受信すると、この背景音問合せ要求Ｆ１０に含まれている移動通信端末１０の在圏位置情報Ｆ９に基づいて、この在圏位置情報Ｆ９の表す在圏位置に応じた背景音を示す背景音情報Ｆ２を音声蓄積サーバ２０に送信する。背景音取得部２０５は、背景音情報Ｆ２を背景音提供装置４０から送受信部２０１を介して受信すると、この背景音情報Ｆ２を音声置換部２０６に転送する。
【００３０】
音声置換部２０６は、背景音情報Ｆ２を背景音取得部２０５から受信すると、音声合成要求Ｆ１１を作成する。そして、音声置換部２０６は、移動通信端末１０により音声蓄積部２０２に蓄積された音声メッセージ情報Ｆ１を音声蓄積部２０２から取得し、この取得した音声メッセージ情報Ｆ１と背景音取得部２０５から受信された背景音情報Ｆ２とを音声合成要求Ｆ１１に含め、この音声合成要求Ｆ１１を送受信部２０１に送信する。音声置換部２０６は、合成音情報Ｆ３を送受信部２０１から受信すると、音声蓄積部２０２に蓄積されている音声メッセージ情報Ｆ１を削除して合成音情報Ｆ３を音声蓄積部２０２に蓄積する（音声メッセージ情報Ｆ１を合成音情報Ｆ３に置換する。）。音声置換部２０６は、合成音情報Ｆ３を音声蓄積部２０２に蓄積すると、合成音情報Ｆ３が音声蓄積部２０２に蓄積された旨を登録通知部２０７に送信する。
【００３１】
登録通知部２０７は、音声メッセージ情報Ｆ１に替えて合成音情報Ｆ３が音声蓄積部２０２に蓄積された旨の通知を音声置換部２０６から受けると、メッセージ蓄積完了通知Ｆ６を作成し、このメッセージ蓄積完了通知Ｆ６を送受信部２０１に送信する。
【００３２】
音声再生部２０８は、音声取得要求Ｆ７を送受信部２０１から受信すると、合成音情報Ｆ３を音声蓄積部２０２から取得し、この合成音情報Ｆ３を送受信部２０１に転送する。
【００３３】
留守電開始通知部２０９は、移動通信端末１０と音声蓄積サーバ２０との間で留守番電話接続処理（図９に示すステップＳ２）を開始すると、留守番電話接続通知Ｆ１２を作成し、この留守番電話接続通知Ｆ１２を送受信部２０１に送信する。
【００３４】
図５は、位置情報管理サーバ３０の構成を示す図である。図５に示す構成は、位置情報管理サーバ３０のＣＰＵ（図示略）が、コンピュータソフトウェアを実行することにより実現される複数の機能を表している。図５に示すように、位置情報管理サーバ３０は、送受信部３０１、位置情報蓄積部３０２及び位置情報処理部３０３を有する。
【００３５】
送受信部３０１は、在圏位置問合せ要求Ｆ８を音声蓄積サーバ２０から受信すると、この在圏位置問合せ要求Ｆ８を位置情報処理部３０３に転送する。送受信部３０１は、在圏位置情報Ｆ９を位置情報処理部３０３から受信すると、この在圏位置情報Ｆ９を音声蓄積サーバ２０に転送する。送受信部３０１は、留守番電話接続通知Ｆ１２を音声蓄積サーバ２０から受信すると、この留守番電話接続通知Ｆ１２を位置情報処理部３０３に転送する。送受信部３０１は、位置情報取得要求Ｆ４を位置情報処理部３０３から受信すると、この位置情報取得要求Ｆ４を移動通信端末１０に転送する。送受信部３０１は、位置情報Ｆ５を移動通信端末１０から受信すると、この位置情報Ｆ５を位置情報処理部３０３に転送する。
【００３６】
位置情報蓄積部３０２は、在圏位置問合せ要求Ｆ８を位置情報処理部３０３から受信すると、位置情報蓄積部３０２の情報ベースから該当する在圏位置情報Ｆ９を取得し、この在圏位置情報Ｆ９を位置情報処理部３０３に送信する。
【００３７】
位置情報処理部３０３は、留守番電話接続通知Ｆ１２を送受信部３０１から受信すると、移動通信端末１０に対し在圏位置情報の取得を促すため、位置情報取得要求Ｆ４を作成し、この位置情報取得要求Ｆ４を送受信部３０１に送信する。位置情報処理部３０３は、位置情報Ｆ５を送受信部３０１から受信すると、この位置情報Ｆ５の示す在圏位置情報を位置情報蓄積部３０２に蓄積する。位置情報処理部３０３は、在圏位置問合せ要求Ｆ８を送受信部３０１から受信すると、在圏位置問合せ要求Ｆ８を位置情報蓄積部３０２に転送することにより、移動通信端末１０の在圏位置を位置情報蓄積部３０２に問い合わせる。位置情報処理部３０３は、位置情報蓄積部３０２から移動通信端末１０の在圏位置を取得すると、この取得結果に基づいて在圏位置情報Ｆ９を作成し、この在圏位置情報Ｆ９を位置情報処理部３０３を介して送受信部３０１に送信する。
【００３８】
図６は、背景音提供装置４０の構成を示す図である。図６に示す構成は、背景音提供装置４０のＣＰＵ（図示略）が、コンピュータソフトウェアを実行することにより実現される複数の機能を表している。図５に示すように、背景音提供装置４０は、送受信部４０１、場所情報蓄積部４０２、背景音情報蓄積部４０３及び背景音情報検索部４０４を有する。
【００３９】
送受信部４０１は、背景音問合せ要求Ｆ１０を音声蓄積サーバ２０から受信すると、この背景音問合せ要求Ｆ１０を背景音情報検索部４０４に転送する。送受信部４０１は、背景音情報Ｆ２を背景音情報検索部４０４から受信すると、この背景音情報Ｆ２を音声蓄積サーバ２０に転送する。
【００４０】
場所情報蓄積部４０２は、図７（ａ）に示す情報テーブル４０２１を管理する。図７（ａ）に示すように、情報テーブル４０２１は、駅や遊園地等の場所と、この場所の緯度・経度を表す位置情報とを関連付ける情報テーブルである。例えば、情報テーブル４０２１は、位置を示す「緯度：ＸＸＸＸＸＸ」及び「経度：ＹＹＹＹＹＹ」と、この位置に応じた場所を示す「ＺＺ駅」とを関連付け、また、位置を示す「緯度：ＡＡＡＡＡＡ」及び「経度：ＢＢＢＢＢＢ」と、この位置に応じた場所を示す「遊園地」とを関連付ける。背景音情報検索部４０４は、情報テーブル４０２１に含まれる位置情報の中から、送受信部４０１を介して受信した移動通信端末１０の在圏位置情報Ｆ９の表す位置に最も近い位置を特定し、この特定した位置に対応する場所情報を情報テーブル４０２１を用いて検索する。
【００４１】
図６に戻って説明する。場所情報蓄積部４０２は、背景音問合せ要求Ｆ１０に含まれている在圏位置情報Ｆ９を背景音情報検索部４０４から受信すると、この在圏位置情報Ｆ９の示す在圏位置に応じた場所（在圏位置情報Ｆ９の表す位置に最も近い位置に対応する場所）を情報テーブル４０２１を用いて検索し、この検索により得られた場所を示す場所情報を背景音情報検索部４０４に送信する。
【００４２】
背景音情報蓄積部４０３は、図７（ｂ）に示す情報テーブル４０３１を管理する。図７（ｂ）に示すように、情報テーブル４０３１は、「ＺＺ駅」や「遊園地」等の場所を示す場所情報と、この場所に応じた背景音（「電車の音」や「ジェットコースターでの叫び声」）とを関連付ける情報テーブルである。例えば、情報テーブル４０３１は、場所を示す「ＺＺ駅」と、この場所に応じた背景音「電車の音」（音声情報の名前）とを関連付け、また、場所を示す「遊園地」と、この場所に応じた背景音「ジェットコースターでの叫び声」（音声情報の名前）とを関連付ける。このように、情報テーブル４０２１と情報テーブル４０３１とを用いれば、在圏位置情報Ｆ９から、この在圏位置情報Ｆ９の表す在圏位置に応じた背景音情報Ｆ２が取得できる。
【００４３】
図６に戻って説明する。背景音情報蓄積部４０３は、移動通信端末１０の場所を示す場所情報を背景音情報検索部４０４から受信すると、この場所情報に応じた背景音を情報テーブル４０３１を用いて検索し、この検索により得られた背景音を示す背景音情報Ｆ２を背景音情報検索部４０４に送信する。背景音情報検索部４０４は、背景音問合せ要求Ｆ１０を送受信部４０１から受信すると、この背景音問合せ要求Ｆ１０から移動通信端末１０の在圏位置情報Ｆ９を抽出し、この在圏位置情報Ｆ９に応じた場所情報の特定を場所情報蓄積部４０２に指示する。背景音情報検索部４０４は、上記の在圏位置情報Ｆ９に応じた場所情報を場所情報蓄積部４０２から受信すると、この場所情報に応じた背景音情報Ｆ２の送信を背景音情報蓄積部４０３に指示する。背景音情報検索部４０４は、上記の場所情報に応じた背景音情報Ｆ２を背景音情報蓄積部４０３から受信すると、この背景音情報Ｆ２を送受信部４０１に送信する。
【００４４】
図８は、音声合成装置５０の構成を示す図である。図８に示す構成は、音声合成装置５０のＣＰＵ（図示略）が、コンピュータソフトウェアを実行することにより実現される複数の機能を表している。図５に示すように、音声合成装置５０は、送受信部５０１及び音声合成部５０２を有する。
【００４５】
送受信部５０１は、音声合成要求Ｆ１１を音声蓄積サーバ２０から受信すると、この音声合成要求Ｆ１１を音声合成部５０２に転送する。送受信部５０１は、合成音情報Ｆ３を音声合成部５０２から受信すると、この合成音情報Ｆ３を音声蓄積サーバ２０に転送する。
【００４６】
音声合成部５０２は、音声合成要求Ｆ１１を送受信部５０１から受信すると、この音声合成要求Ｆ１１に含まれている音声メッセージ情報Ｆ１及び背景音情報Ｆ２のそれぞれの音声を合成する。音声合成部５０２は、この合成後の音声を表す合成音情報Ｆ３を送受信部５０１に送信する。
【００４７】
次に、図９を参照し、実施形態に係る留守番電話システム１の動作（通信制御方法）を説明する。図９は、実施形態に係る留守番電話システム１の動作を説明するためのシーケンスである。以下、移動通信端末１０と同様の構成を有する移動通信端末１０ａ（第１の移動通信端末）と移動通信端末１０ｂ（第２の移動通信端末）とを用いて説明する。はじめに、移動通信端末１０ａが移動通信端末１０ｂに音声電話を発信する（ステップＳ１）。圏外等の理由で移動通信端末１０ｂがこの発信に応答できない場合には（図中の“×”はこの旨を示す。）、移動通信端末１０ａと音声蓄積サーバ２０とは、留守番電話接続処理を開始する（ステップＳ２）。音声蓄積サーバ２０は、この留守番電話接続処理が開始されると、留守番電話接続通知Ｆ１２を位置情報管理サーバ３０に送信する（ステップＳ３）。
【００４８】
位置情報管理サーバ３０は、留守番電話接続通知Ｆ１２を音声蓄積サーバ２０から受信すると、移動通信端末１０ａの在圏位置情報を取得するために、位置情報取得要求Ｆ４を移動通信端末１０ａに送信する（ステップＳ４）。移動通信端末１０ａは、位置情報取得要求Ｆ４を位置情報管理サーバ３０から受信すると、移動通信端末１０ａの現在の在圏位置をＧＰＳを用いて測位し、この測位した在圏位置を表す位置情報Ｆ５を位置情報管理サーバ３０に送信する（ステップＳ５）。位置情報管理サーバ３０は、この位置情報Ｆ５の示す移動通信端末１０ａの在圏位置を位置情報蓄積部３０２に蓄積する。移動通信端末１０ａは、移動通信端末１０ｂに対する留守番電話メッセージを表す音声メッセージ情報Ｆ１を作成し、この音声メッセージ情報Ｆ１を音声蓄積サーバ２０に送信する（ステップＳ６）。音声蓄積サーバ２０は、移動通信端末１０ａから送信された音声メッセージ情報Ｆ１を音声蓄積部２０２に蓄積する（ステップＳ７）。
【００４９】
この後、音声蓄積サーバ２０は、移動通信端末１０ａの在圏位置に応じた背景音を取得するために、まず、移動通信端末１０ａの在圏位置を問い合わせるための在圏位置問合せ要求Ｆ８を作成し、この在圏位置問合せ要求Ｆ８を位置情報管理サーバ３０に送信する（ステップＳ８）。位置情報管理サーバ３０は、在圏位置問合せ要求Ｆ８を音声蓄積サーバ２０から受信すると、位置情報蓄積部３０２が管理するデータベースから移動通信端末１０ａの在圏位置情報を検索する（ステップＳ９）。位置情報管理サーバ３０は、移動通信端末１０ａによる検索結果を表す在圏位置情報Ｆ９を音声蓄積サーバ２０に送信する（ステップＳ１０）。
【００５０】
音声蓄積サーバ２０は、在圏位置情報Ｆ９を位置情報管理サーバ３０から受信すると、次に、移動通信端末１０ａの在圏位置（在圏位置情報Ｆ９の表す在圏位置。）に応じた背景音を表す背景音情報Ｆ２を取得するため、在圏位置情報Ｆ９を含む背景音問合せ要求Ｆ１０を作成し、この背景音問合せ要求Ｆ１０を背景音提供装置４０に送信する（ステップＳ１１）。背景音提供装置４０は、背景音問合せ要求Ｆ１０を音声蓄積サーバ２０から受信すると、この背景音問合せ要求Ｆ１０に含まれている在圏位置情報Ｆ９から、場所情報蓄積部４０２の管理する情報テーブル４０２１を用いて場所情報を検索する（ステップＳ１２）。そして、背景音提供装置４０は、この検索により得られた場所情報に応じた背景音情報Ｆ２を、背景音情報蓄積部４０３の管理する情報テーブル４０３１を用いて検索する（ステップＳ１３）。背景音提供装置４０は、検索により得られた背景音情報Ｆ２を音声蓄積サーバ２０に送信する（ステップＳ１４）。上述のステップＳ１１〜ステップＳ１４は背景音取得ステップに対応する。
【００５１】
音声蓄積サーバ２０は、背景音情報Ｆ２を背景音提供装置４０から受信すると、この背景音情報Ｆ２と、ステップＳ７において音声蓄積部２０２に予め蓄積された音声メッセージ情報Ｆ１とを含む音声合成要求Ｆ１１を作成し、この音声合成要求Ｆ１１を音声合成装置５０に送信する（ステップＳ１５）。音声合成装置５０は、音声合成要求Ｆ１１を音声蓄積サーバ２０から受信すると、音声合成要求Ｆ１１に含まれている音声メッセージ情報Ｆ１及び背景音情報Ｆ２のそれぞれの音声を合成した合成音情報Ｆ３を作成し（ステップＳ１６）、この合成音情報Ｆ３を音声蓄積サーバ２０に送信する（ステップＳ１７）。音声蓄積サーバ２０は、合成音情報Ｆ３を音声合成装置５０から受信すると、ステップＳ７において音声蓄積部２０２に予め蓄積されている音声メッセージ情報Ｆ１を合成音情報Ｆ３に置換する（ステップＳ１８）。この場合、音声メッセージ情報Ｆ１は音声蓄積部２０２から削除され、この音声メッセージ情報Ｆ１に替えて合成音情報Ｆ３が移動通信端末１０ｂに対する留守番電話メッセージとして音声蓄積部２０２に蓄積される。上述のステップＳ１５〜ステップＳ１８は合成音取得ステップに対応する。
【００５２】
音声蓄積サーバ２０は、この置換が完了すると、この旨を示すメッセージ蓄積完了通知Ｆ６を移動通信端末１０ｂに送信する（ステップＳ１９）。移動通信端末１０ｂは、メッセージ蓄積完了通知Ｆ６を音声蓄積サーバ２０から受信すると、音声蓄積サーバ２０の音声蓄積部２０２に蓄積された合成音情報Ｆ３を再生（取得）するための音声取得要求Ｆ７を作成し、この音声取得要求Ｆ７を音声蓄積サーバ２０に送信する（ステップＳ２０）。音声蓄積サーバ２０は、音声取得要求Ｆ７を移動通信端末１０ｂから受信すると、音声取得要求Ｆ７により再生要求（取得要求）されている合成音情報Ｆ３を移動通信端末１０ｂに転送する（ステップＳ２１）。ステップＳ２１は合成音送信ステップに対応する。以上説明した手順に従えば、移動通信端末１０ａの在圏位置に応じた背景音（背景音情報Ｆ２）が、移動通信端末１０ａによる移動通信端末１０ｂへの留守番電話メッセージ（音声メッセージ情報Ｆ１）に合成され、この合成音（合成音情報Ｆ３）が移動通信端末１０ｂにおいて再生可能となる。
【００５３】
次に、実施形態に係る音声蓄積サーバ２０の作用効果を説明する。移動通信端末１０ａから受信した移動通信端末１０ｂに対する音声メッセージ情報Ｆ１を保持する音声蓄積サーバ２０は、背景音取得部２０５、音声置換部２０６及び音声再生部２０８を備える。背景音取得部２０５は、移動通信端末１０ａの在圏位置情報Ｆ９に応じた背景音情報Ｆ２を取得する。音声置換部２０６は、音声メッセージ情報Ｆ１の音声と背景音情報Ｆ２の音声とが合成された合成音を表す合成音情報Ｆ３を取得して保持する。音声再生部２０８は、音声置換部２０６により取得された合成音情報Ｆ３に対する音声取得要求Ｆ７を移動通信端末１０ｂから受信すると、合成音情報Ｆ３を移動通信端末１０ｂに送信する。
【００５４】
そして、音声蓄積サーバ２０は、在圏位置取得部２０４を更に備える。在圏位置取得部２０４は、音声メッセージ情報Ｆ１の受信後に、ＧＰＳ情報により取得された移動通信端末１０ａの在圏位置情報Ｆ９を取得する。
【００５５】
従って、音声メッセージ情報Ｆ１を作成した移動通信端末１０ａの在圏位置に応じた背景音が取得され、この背景音が音声メッセージ情報Ｆ１の音声に合成される。この背景音は、移動通信端末１０ａの在圏位置に応じた場所を表現する音声である。このため、言葉を用いなくても、背景音によって、移動通信端末１０ａの在圏位置に応じた場所が判断可能となる。従って、移動通信端末１０ａのユーザは、音声メッセージ情報Ｆ１を作成する場合、移動通信端末１０ａの在圏位置に応じた場所を言葉で説明する時間が省けるので、音声メッセージ情報Ｆ１の作成時間内に他のより多くの情報を移動通信端末１０ａに含ませることが可能となる。
【００５６】
なお、本発明は、上記実施形態に限らない。例えば、留守番電話システム１は、下記の第１〜第１０の変形例に示す構成であってもよい。
【００５７】
＜第１の変形例＞  音声蓄積サーバ２０の背景音取得部２０５は、音声メッセージ情報Ｆ１の音声に合成する背景音を指定するためのプレゼンス情報に応じた背景音情報Ｆ２を取得し、音声置換部２０６は、音声メッセージ情報Ｆ１の音声と背景音情報Ｆ２の音声とが合成された合成音を表す合成音情報Ｆ３を取得して保持し、音声再生部２０８は、音声置換部２０６により取得された合成音情報Ｆ３の音声取得要求Ｆ７を移動通信端末１０ｂから受信すると、合成音情報Ｆ３を移動通信端末１０ｂに送信するようにしてもよい。
【００５８】
すなわち、実施形態では、移動通信端末１０ａの在圏位置に応じた背景音を合成用の音声に用いたが、本第１の変形例のように、移動通信端末１０ａのユーザの状態を示すプレゼンス情報等に応じた背景音を合成用の音声に用いてもよい。例えば、移動通信端末１０ａのユーザが徒歩で移動中の場合、このような徒歩で移動中である旨を示すプレゼンス情報に基づいて街の音声が背景音に用いられてもよい。これにより、移動通信端末１０ａの在圏位置情報Ｆ９を用いなくても、好適な背景音が利用できる。
【００５９】
本第１の変形例の場合、移動通信端末１０ａは、プレゼンス情報を音声蓄積サーバ２０に送信する（或いは音声メッセージ情報Ｆ１と共にプレゼンス情報を音声蓄積サーバ２０に送信する。）。そして、音声蓄積サーバ２０は、プレゼンス情報を背景音提供装置４０に送信し、このプレゼンス情報に応じた背景音情報Ｆ２を背景音提供装置４０から取得する。背景音提供装置４０は、プレゼンス情報と背景音情報Ｆ２とを対応付ける情報テーブルを有しており、背景音提供装置４０は、この情報テーブルを用いて、プレゼンス情報に応じた背景音情報Ｆ２を取得する。
【００６０】
また、ステップＳ３〜ステップＳ５及びステップＳ８〜ステップＳ１３は行われない。すなわち、移動通信端末１０ａの在圏位置を測位し、この在圏位置に応じた場所情報を検索するステップが省略できる。ステップＳ２の後には、ステップＳ６及びステップＳ７が実行される。そして、このステップＳ７の後に、音声蓄積サーバ２０の背景音取得部２０５は、プレゼンス情報を背景音提供装置４０に送信し、背景音提供装置４０は、このプレゼンス情報に応じた背景音情報Ｆ２を検索する（ステップＳ１４）。この検索の後、ステップＳ１４以降の処理が実行される。なお、本第１の変形例の場合、音声蓄積サーバ２０は、在圏位置取得部２０４を有していなくてもよい。
【００６１】
＜第２の変形例＞  また、上述の第１の変形例におけるプレゼンス情報に換えて（或いは、プレゼンス情報に加えて）、ユーザの嗜好情報を用いてもよい。背景音提供装置４０は、嗜好情報と背景音情報Ｆ２とを対応付ける情報テーブルを有しており、背景音提供装置４０は、この情報テーブルを用いて、嗜好情報に応じた背景音情報Ｆ２を取得する。すなわち、実施形態では、移動通信端末１０ａの在圏位置に応じた背景音を用いるが、本第２の変形例のように、ユーザの嗜好情報に応じた背景音を用いてもよい。
【００６２】
例えば、嗜好情報として、「サッカー」が指定された場合、背景音にサッカー場内の音（歓声）を用いてもよい。これにより、移動通信端末１０ａの在圏位置を測位し、この在圏位置に応じた場所情報を検索するステップが省略できる。また、背景音の特定には予め指定された嗜好情報を参照するだけでよい。
【００６３】
＜第３の変形例＞  また、上述の第１の変形例におけるプレゼンス情報に換えて（或いは、プレゼンス情報に加えて）、ユーザから指定された場所情報を用いてもよい。すなわち、実施形態では、移動通信端末１０ａの在圏位置に応じた場所情報がネットワーク６０上に設けられた背景音提供装置４０により検索されるが、本第３の変形例のように、移動通信端末１０ａの場所情報をユーザが指定してもよい。
【００６４】
例えば、ユーザの指定した「駅」を示す場所情報が移動通信端末１０ａから背景音提供装置４０に送信されると、場所情報「駅」に応じた背景音情報Ｆ２が背景音提供装置４０において検索される。これにより、移動通信端末１０ａの在圏位置を測位し、この在圏位置に応じた場所情報を検索するステップが省略できる。そして、ユーザの所望の場所が背景音に応じた場所として指定できる。
【００６５】
＜第４の変形例＞  また、音声蓄積サーバ２０の背景音取得部２０５は、移動通信端末１０ａの在圏位置情報Ｆ９と、音声メッセージ情報Ｆ１が作成された作成時刻（音声メッセージ情報Ｆ１の入力時刻）とに応じた背景音情報Ｆ２を取得してもよい。すなわち、実施形態では、移動通信端末１０の在圏位置に応じた背景音が用いられるが、本第４の変形例のように、音声メッセージ情報Ｆ１の作成時刻に応じた背景音を用いてもよい。
【００６６】
例えば、移動通信端末１０の在圏位置が駅内の場合、音声メッセージ情報Ｆ１の入力時刻が昼であれば、電車の走行音を背景音に用い、音声メッセージ情報Ｆ１の入力時刻が夜であれば、静かな音を背景音に用いる。これにより、移動通信端末１０の在圏場所だけでなく音声メッセージ情報Ｆ１の作成時刻に応じた背景音が利用できる。この場合、背景音提供装置４０は、音声メッセージ情報Ｆ１の作成時刻に応じて背景音情報Ｆ２の検索が可能な情報テーブルを有している。そして、ステップＳ１２及びステップＳ１３において、背景音取得部２０５は、音声メッセージ情報Ｆ１の作成時刻を背景音提供装置４０に送信し（或いは、作成時刻を在圏位置情報Ｆ９と共に送信し）、背景音提供装置４０は、この作成時刻に応じた情報テーブルを用いて背景音情報Ｆ２を検索する。
【００６７】
＜第５の変形例＞  また、上述の第４の変形例における音声メッセージ情報Ｆ１の作成時刻に換えて（或いは、この作成時刻に加えて）、音声メッセージ情報Ｆ１が作成された作成時期（季節）を用いてもよい。すなわち、実施形態では、移動通信端末１０の在圏位置に応じた背景音が用いられるが、本第５の変形例のように、音声メッセージ情報Ｆ１が作成された季節に応じた背景音を用いてもよい。
【００６８】
例えば、音声メッセージ情報Ｆ１の作成時の季節が春の場合、鳥の鳴き声を背景音に用いてもよい。これにより、音声メッセージ情報Ｆ１に季節感を含ませることができる。この場合、背景音提供装置４０は、季節に応じて背景音情報Ｆ２の検索が可能な情報テーブルを有している。そして、ステップＳ１２及びステップＳ１３において、背景音取得部２０５は、音声メッセージ情報Ｆ１の作成された季節を背景音提供装置４０に送信し（或いは、この季節を在圏位置情報Ｆ９と共に送信し）、背景音提供装置４０は、この季節に応じた情報テーブルを用いて背景音情報Ｆ２を検索する。
【００６９】
＜第６の変形例＞  また、実施形態では、情報テーブル４０２１と情報テーブル４０３１とをそれぞれ設け、この二つの情報テーブルを用いて移動通信端末１０の在圏位置情報Ｆ９から背景音情報Ｆ２を特定するが、本第６の変形例のように、情報テーブル４０２１の内容と情報テーブル４０３１の内容とを一の情報テーブルにまとめたものを背景音情報の特定に用いてもよい。これにより、一の情報テーブルだけを参照すれば移動通信端末１０の在圏位置情報Ｆ９から背景音情報Ｆ２が一度の検索で取得できる。
【００７０】
＜第７の変形例＞  また、実施形態では、音声蓄積サーバ２０、背景音提供装置４０及び音声合成装置５０を、それぞれ別体に設けているが、本第７の変形例のように、背景音提供装置４０及び音声合成装置５０が音声蓄積サーバ２０に設けられていてもよい。これにより、ネットワーク６０を介して音声蓄積サーバ２０、背景音提供装置４０及び音声合成装置５０の間で行われる情報の送受信が、ネットワーク６０を介さずに行うことができる。この場合、背景音取得部２０５及び背景音提供装置４０が背景音取得手段に対応し、音声置換部２０６及び音声合成装置５０が合成音取得手段に対応する。
【００７１】
＜第８の変形例＞  また、実施形態では、ＧＰＳ情報から取得された移動通信端末１０の在圏位置が用いられるが、本第８の変形例のように、移動通信端末１０と通信を行う基地局の位置情報（基地局の設置位置を含む情報）を在圏位置情報Ｆ９に用いてもよい。これにより、ＧＰＳ情報を用いた詳細な在圏位置情報Ｆ９を必要としない場合（例えば、県や市の音楽等を背景音に用いる場合）には、このような基地局の位置情報で十分である。
【００７２】
＜第９の変形例＞  また、音声蓄積サーバ２０の音声置換部２０６は、合成音情報Ｆ３を音声メッセージ情報Ｆ１と共に保持し、移動通信端末１０ａからの指示に応じて合成音情報Ｆ３と音声メッセージ情報Ｆ１との何れか一方を削除してもよい。すなわち、実施形態では、音声メッセージ情報Ｆ１が合成音情報Ｆ３に自動的に置換され、この合成音情報Ｆ３が留守番電話メッセージとして音声蓄積部２０２に最終的に蓄積されるが、本第９の変形例のように、このような自動置換を行わず音声メッセージ情報Ｆ１と合成音情報Ｆ３とを共に音声蓄積部２０２に一旦蓄積してもよい。これにより、音声メッセージ情報Ｆ１を作成した移動通信端末１０のユーザは、音声メッセージ情報Ｆ１又は合成音情報Ｆ３の何れの音声を留守番電話メッセージとして音声蓄積部２０２に最終的に蓄積するかを選択できる。
【００７３】
＜第１０の変形例＞  また、音声蓄積サーバ２０の在圏位置取得部２０４は、音声メッセージ情報Ｆ１の音声に背景音情報Ｆ２の音声を合成する旨の指示を受けた場合に移動通信端末１０ａの在圏位置情報Ｆ９を取得してもよい。
【００７４】
すなわち、実施形態では、留守番電話接続処理（ステップＳ２）の後に、位置情報管理サーバ３０から移動通信端末１０ａに在圏位置情報Ｆ９の在圏位置問合せ要求Ｆ８を行うが（ステップＳ４）、本第１０の変形例のように、移動通信端末１０から音声蓄積サーバ２０に音声メッセージ情報Ｆ１を送信し、音声蓄積サーバ２０がこの音声メッセージ情報Ｆ１を音声蓄積部２０２に蓄積した後に、位置情報管理サーバ３０から移動通信端末１０ａに在圏位置情報Ｆ９の在圏位置問合せ要求Ｆ８を行ってもよい。
【００７５】
この場合、留守番電話メッセージである音声メッセージ情報Ｆ１を音声蓄積サーバ２０に送信した後に、位置情報管理サーバ３０（又は音声蓄積サーバ２０）は、移動通信端末１０ａに対し背景音の合成を行うか否かを問い合わせ、背景音の合成を行う旨の指示が移動通信端末１０ａから行われた場合には、移動通信端末１０ａに在圏位置情報Ｆ９の提供を要求する。これにより、ユーザが背景音の合成を希望しない場合にも対応可能となる。
【００７６】
なお、上述の第１〜第１０の変形例を個別に用いてもよいし、第１〜第１０の変形例のうち複数を組み合わせて用いてもよい。
【図面の簡単な説明】
【００７７】
【図１】実施形態に係る留守番電話システムの構成を示す図である。
【図２】実施形態に係る移動通信端末の構成を示す図である。
【図３】実施形態に係る音声蓄積サーバの構成を示す図である。
【図４】実施形態に係る音声蓄積サーバの構成を示す図である。
【図５】実施形態に係る位置情報管理サーバの構成を示す図である。
【図６】実施形態に係る背景音提供装置の構成を示す図である。
【図７】背景音提供装置の管理する情報テーブルの一例を示す図である。
【図８】実施形態に係る音声合成装置の構成を示す図である。
【図９】実施形態に係る留守番電話システムの動作を説明するためのシーケンスである。
【符号の説明】
【００７８】
１…留守番電話システム、１０…移動通信端末、１０ａ…移動通信端末、１０ｂ…移動通信端末、２０…音声蓄積サーバ、２０ａ…ＣＰＵ、２０ｂ…ＲＡＭ、２０ｃ…ＲＯＭ、２０ｄ…入力装置、２０ｅ…出力装置、２０ｆ…通信装置、２０ｇ…バス、３０…位置情報管理サーバ、４０…背景音提供装置、５０…音声合成装置、６０…ネットワーク、１０１…送受信部、１０２…音声登録部、１０３…端末入出力部、１０４…再生部、１０５…位置登録部、２０１…送受信部、２０２…音声蓄積部、２０３…音声登録部、２０４…在圏位置取得部、２０５…背景音取得部、２０６…音声置換部、２０７…登録通知部、２０８…音声再生部、２０９…留守電開始通知部、３０１…送受信部、３０２…位置情報蓄積部、３０３…位置情報処理部、４０１…送受信部、４０２…場所情報蓄積部、４０３…背景音情報蓄積部、４０４…背景音情報検索部、５０１…送受信部、５０２…音声合成部、４０２１…情報テーブル、４０３１…情報テーブル。
【図１】
2008099197.tif 000003
【図２】
2008099197.tif 000004
【図３】
2008099197.tif 000005
【図４】
2008099197.tif 000006
【図５】
2008099197.tif 000007
【図６】
2008099197.tif 000008
【図７】
2008099197.tif 000009
【図８】
2008099197.tif 000010
【図９】
2008099197.tif 000011